(57)【要約】【課題】特に患者の手術範囲への接近を改善すると共に、怪我をした患者または年老いた患者の患者寝台への乗降を改善する。【解決手段】トンネル状または環状の測定装置（１，２）内に搬入可能な患者寝台（６）を備え、患者寝台（６）が腰掛け部（８）に揺動可能に結合された背もたれ（７）を有し保持装置（４，５）に水平方向に移動可能に保持されている断層撮影装置において、保持装置（４，５）が測定装置（１，２）に取付けられている。【選択図】    図４
2005246057.tif 000002
【特許請求の範囲】
【請求項１】
トンネル状または環状の測定装置（１，２）内に搬入可能な患者寝台（６）を備え、患者寝台（６）が腰掛け部（８）に揺動可能に結合された背もたれ（７）を有し保持装置（４，５）に水平方向に移動可能に保持されている断層撮影装置において、保持装置（４，５）が測定装置（１，２）に取付けられていることを特徴とする断層撮影装置。
【請求項２】
患者寝台（６）は腰掛け部（８）に揺動可能に結合された脚部（９）を有することを特徴とする請求項１記載の断層撮影装置。
【請求項３】
患者寝台（６）はトンネル軸線または管軸線に対して垂直に延びるＹ軸の周りを揺動可能に保持装置（４，５）に取付けられていることを特徴とする請求項１又は２記載の断層撮影装置。
【請求項４】
保持装置（４，５）は垂直方向に移動可能に測定装置（１，２）に取付けられていることを特徴とする請求項１乃至３の１つに記載の断層撮影装置。
【請求項５】
測定装置（１，２）はこの測定装置（１，２）に取付けられている保持装置（４，５）を含めて垂直方向に移動可能に架台（３）に取付けられていることを特徴とする請求項１乃至４の１つに記載の断層撮影装置。
【請求項６】
水平移動および／または垂直移動を行なうために電気駆動式調整装置が設けられていることを特徴とする請求項１乃至５の１つに記載の断層撮影装置。
【請求項７】
背もたれ（７）、脚部（９）および患者寝台（６）のうちの少なくとも１つを揺動させるために電気駆動式揺動装置が設けられていることを特徴とする請求項１乃至６の１つに記載の断層撮影装置。
【請求項８】
患者寝台（６）の運動を制御するために制御装置が設けられていることを特徴とする請求項１乃至７の１つに記載の断層撮影装置。
【発明の詳細な説明】
【技術分野】
【０００１】
本発明は、トンネル状または環状の測定装置内に搬入可能な患者寝台を備え、患者寝台が腰掛け部に揺動可能に結合された背もたれを有し保持装置に水平方向に移動可能に保持されている断層撮影装置、特にＸ線コンピュータ断層撮影装置または磁気共鳴断層撮影装置に関する。
【背景技術】
【０００２】
従来技術によれば、断層撮影装置として例えばＸ線コンピュータ断層撮影装置または磁気共鳴断層撮影装置が知られている。このような断層撮影装置の共通の構成要素は管状またはトンネル状に形成された測定装置である。測定のために、患者は断層撮影装置に取付けられた患者寝台上に乗せられて水平方向に測定装置内に搬入される。患者寝台はさらに垂直方向に移動可能である。これにより、特に怪我をしている患者または年老いた患者が患者寝台に乗ったりまたは患者寝台から降りることが容易になる。
【０００３】
実際上、測定の前処理のために患者が処置を受けなければならないことが生じる、例えば、患者に注入装置によって造影剤を注入することが必要になることがある。これは別にしても、患者が測定直後にさらに患者寝台上で手術を受けなければならないことが考えられる。その際に時々、医療補助者または執刀医が患者の手術範囲に接近することが困難であるという問題が生じる。
【発明の開示】
【発明が解決しようとする課題】
【０００４】
本発明の課題は、従来技術の欠点を除去し、特に患者の手術範囲への接近を改善した断層撮影装置を提供することにある。本発明の他の課題は、怪我をした患者または年老いた患者の患者寝台への乗降を改善した断層撮影装置を提供することにある。
【課題を解決するための手段】
【０００５】
この課題は、本発明によれば、トンネル状または環状の測定装置内に搬入可能な患者寝台を備え、患者寝台が腰掛け部に揺動可能に結合された背もたれを有し保持装置に水平方向に移動可能に保持されている断層撮影装置において、保持装置が測定装置に取付けられていることによって解決される。
【０００６】
本発明によれば、患者寝台が腰掛け部に揺動可能に結合された背もたれを有する。背もたれを腰掛け部に対して相対的に揺動させることによって、患者寝台上に収容されている患者の位置を変えることができる。これにより、患者の手術範囲への接近が容易になる。特に怪我をした患者は測定を実施するまでの間必要な場合には腰掛け部に腰掛けていることができる。
【０００７】
患者寝台は測定装置に取付けられた保持装置に水平方向に移動可能に保持される。患者寝台は特にトンネル軸線または管軸線上を水平方向に移動可能である。これにより、患者寝台上に収容されてる患者を測定装置内へ搬入したりかつ測定装置から搬出することが可能になる。患者寝台はトンネル軸線または管軸線に対して垂直に延びるＹ軸の周りを揺動可能に保持装置に取付けられていると好ましい。これによって、患者の身体軸線を斜めに通るスライス画像の作成が可能になる。さらに、それに伴って、患者を手術のために医療補助者または執刀医にとって最適である位置にもたらすことができる。
【０００８】
本発明の実施態様によれば、患者寝台は腰掛け部に揺動可能に結合された脚部を有する。患者寝台を３つの構成要素すなわち背もたれ、腰掛け部および脚部から構成することによって、患者の横臥の自由度がより一層向上する。患者の手術範囲への接近がさらに改善される。患者寝台への患者、例えば歩行障害のある患者の乗降がより一層改善される。
【０００９】
本発明の他の実施態様によれば、保持装置は垂直方向に移動可能に測定装置に取付けられている。さらに、本発明の特に有利な実施態様によれば、測定装置はこの測定装置に取付けられている保持装置を含めて垂直方向に移動可能に架台に取付けられている。本発明の実施態様によれば、従来技術に比べて、患者寝台を垂直方向に特に低く下げることが可能である。これによって、患者寝台への接近がさらに容易になる。
【００１０】
水平移動および／または垂直移動を行なうために電気駆動式調整装置が設けられていると好ましい。本発明の実施態様によれば、背もたれ、脚部および患者寝台のうちの少なくとも１つを揺動させるために電気駆動式揺動装置が設けられている。揺動装置は測定装置による測定を邪魔しないように実施される。特に揺動装置の金属部材は患者寝台の測定範囲の外に収納される。揺動装置の金属部材は例えば保持装置内に収容される。
【００１１】
本発明の実施態様によれば、患者寝台の運動、特に揺動運動を制御するために制御装置が設けられる。この制御装置によって、患者寝台は例えば予め定められた測定位置に自動的にもたらされる。
【発明を実施するための最良の形態】
【００１２】
以下において本発明の実施例を図面に基づいて詳細に説明する。
図１は水平姿勢の患者寝台を備え第１の垂直位置にある断層撮影装置の斜視図、
図２は第２の垂直位置にある図１の断層撮影装置の斜視図、
図３は第３の垂直位置にある図１の断層撮影装置の斜視図、
図４は患者寝台が腰掛け姿勢にある図１の断層撮影装置の斜視図、
図５は患者寝台が測定装置内に搬入されている図１の断層撮影装置の斜視図を示す。
【００１３】
図１〜５には断層撮影装置がＸ線コンピュータ断層撮影装置を例にして示されている。環状に形成された測定装置つまりガントリ１は支持体２に支持されている。支持体２は垂直方向に移動可能に架台３に保持されている。このために（図示されていない）水圧駆動式または電気駆動式昇降装置が設けられている。支持体２には保持装置４が垂直方向に移動可能に取付けられている。保持装置４の保持アーム５は患者寝台６を水平方向に移動可能に保持している。患者寝台６は水平方向に、特に測定装置１の軸線に対して平行に移動可能である。図４から最も良く理解できるように、患者寝台６は背もたれ７と腰掛け部８と脚部９とから構成されている。保持装置４の垂直移動のために（図示されていない）別の水圧駆動式または電気駆動式昇降装置が設けられている。同じく患者寝台６の水平移動のために（図示されていない）好ましくは電気駆動式水平移動装置が設けられている。この水平移動装置は特に保持アーム５内に収納されていてもよい。背もたれ７および脚部９を揺動させるために（図示されていない）好ましくは電気駆動式揺動装置が設けられている。
【００１４】
図１〜５に示されているＸ線コンピュータ断層撮影装置の動作は次の通りである。
【００１５】
保持装置４が垂直方向に移動可能に支持体２に取付けられ、支持体２が同様に垂直方向に移動可能に架台３に取付けられていることによって、患者寝台６は垂直方向に特に十分に移動することができる。図１は、支持体２が架台３に対して持ち上げられていない第１の垂直位置にあるＸ線コンピュータ断層装置を示す。図２は、支持体２が架台３に対して持ち上げられ、患者寝台６が一番高い高さの第２の垂直位置にある状態を示す。図３は、患者寝台６が一番低い高さの第３の垂直位置にある状態を示す。図３において、保持装置４は支持体２に対して垂直方向に下げられている。支持体２は架台３に対して同様に垂直方向に下げられた位置にある。背もたれ７および脚部９の揺動は患者寝台６を腰掛け位置に調整することを可能にする。これは患者の手術範囲への接近を容易にする。
【００１６】
測定のために、患者寝台６は（図示されていない)制御装置によって自動的に水平位置に設定することができ、測定装置１内に水平に搬入することができる。図５は測定位置にある患者寝台６を示す。
【００１７】
本発明による患者寝台およびその移動可能性はＸ線コンピュータ断層撮影装置に適用できると共に類似に構成された全ての断層撮影装置、例えば磁気共鳴断層撮影装置または構造的に類似に構成された核医療装置に適用可能である。
【図面の簡単な説明】
【００１８】
【図１】水平姿勢の患者寝台を備え第１の垂直位置にある断層撮影装置の斜視図
【図２】第２の垂直位置にある図１の断層撮影装置の斜視図
【図３】第３の垂直位置にある図１の断層撮影装置の斜視図
【図４】患者寝台が腰掛け姿勢にある図１の断層撮影装置の斜視図
【図５】患者寝台が測定装置内に搬入されている図１の断層撮影装置の斜視図
【符号の説明】
【００１９】
１        測定装置つまりガントリ
２        支持体
３        架台
４        保持装置
５        保持アーム
６        患者寝台
７        背もたれ
８        腰掛け部
９        脚部
【図１】
2005246057.tif 000003
【図２】
2005246057.tif 000004
【図３】
2005246057.tif 000005
【図４】
2005246057.tif 000006
【図５】
2005246057.tif 000007